(57)【要約】【課題】泡消火設備の泡放出試験に手間がかからず、点検に要する経費も低廉で、環境を汚染するおそれの少ない泡放出試験装置および泡放出試験方法を提供する。【解決手段】泡消火薬原液Ｅを貯留する原液貯留タンク１とは別に、点検用薬剤Ｔを貯留する泡試験用タンク１０を備えている。導水管３から泡試験用タンク１０に水を導入して点検用薬剤Ｔを混合器２に圧送するための耐圧ホース９、１１が開閉弁６ａ、８ａに脱着可能に接続されている。【選択図】図１
2008086681.tif 000002
【特許請求の範囲】
【請求項１】
泡消火薬原液を貯留する原液貯留タンクに導水管から水を導入し、該泡消火薬原液を混合器に圧送する泡消火設備において、泡放出試験を行うための泡放出試験装置であって、
点検用薬剤を貯留する泡試験用タンクを備え、前記導水管から該泡試験用タンクに水を導入して該点検用薬剤を前記混合器に圧送するためのバイパス流路が設けられていることを特徴とする泡放出試験装置。
【請求項２】
導水管から流入する水と点検用薬剤との混合を防止する隔膜が設けられていることを特徴とする請求項１記載の泡放出試験装置。
【請求項３】
点検用薬剤は泡試験用タンク内に収容された収縮及び膨張が可能な容器に充填されていることを特徴とする請求項２記載の泡放出試験装置。
【請求項４】
点検用薬剤は泡消火薬原液と略同等の発泡性能を有し、生分解可能な成分からなることを特徴とする請求項１乃至３のいずれか１項記載の泡放出試験装置。
【請求項５】
点検用薬剤は泡消火薬原液に含有されている糖分の濃度と略同等の糖分濃度とされていることを特徴とする請求項１乃至４のいずれか１項記載の泡放出試験装置。
【請求項６】
点検用薬剤には泡消火薬原液の粘度と略同等の粘度となるように増粘剤が添加されていることを特徴とする請求項１乃至５のいずれか１項記載の泡放出試験装置。
【請求項７】
泡消火設備に着脱可能とされていることを特徴とする請求項１乃至６のいずれか１項記載の泡放出試験装置。
【請求項８】
搬送可能とされていることを特徴とする請求項１乃至７のいずれか１項記載の泡放出試験装置。
【請求項９】
泡消火薬原液を貯留する原液貯留タンクに導水管から水を導入し、該泡消火薬原液を混合器に圧送する泡消火設備の泡放出試験を行うための泡放出試験方法であって、
前記導水管から点検用薬剤を貯留する泡試験用タンクに水を導入して該点検用薬剤を前記混合器に圧送して泡放出状況を調べることを特徴とする泡放出試験方法。
【発明の詳細な説明】
【技術分野】
【０００１】
本発明は泡消火設備の泡放出試験を行うための泡放出試験装置及び泡放出試験方法に関する。
【背景技術】
【０００２】
従来、泡消火薬原液をと水とを混合器で混合し、発泡させて放出する泡消火設備が知られている（例えば特許文献１及び特許文献２）。この消火設備は、図３に示すように、泡消火薬原液９１を貯留する原液貯留タンク９２を備えており、導水管９３から分岐した流入管９４を介して原液貯留タンク９２に水を導入することによって泡消火薬原液９１を押し出し、流出管９５を介して混合器９６に送る仕組みとされている（泡消火薬原液９１の比重は水と異なるため分離し、互いに混ざることはない）。混合器９６はオリフィス構造とされているため、混合器９６に圧送された泡消火薬原液は、導水管９３を流れる水と混合され、ノズル９７から消火用の泡が放出される。
【０００３】
この泡消火設備においては、施設の管理者等に対して、当該設備の性能が適切に維持されているかについて定期点検することが義務付けられている。このため、従来においては、実際に導水管９３から流入管９４を介して原液貯蔵タンク９２に水を入れて泡を放出させ、その発泡状況や水と泡消火薬原液の混合比等を確認する方法が行われていた。
【特許文献１】特開２００１−５７３号公報
【特許文献２】特開２００５−３３４６７２号公報
【発明の開示】
【発明が解決しようとする課題】
【０００４】
しかし、消火設備の定期点検において、消火設備全体を駆動させるためには、作業員による事前の段取り作業や、復旧作業に多くの手間がかかり面倒であった。また、点検のために消費された泡消火薬の補充や、放出された泡消火薬の廃液処理や泡の処理には、多額の経費がかかる。さらには、原液貯留タンクの構造によっては、泡消火薬原液に水が混入するため、原液貯留タンク内の全ての泡消火薬原液を交換する必要がある。
【０００５】
本発明は、上記従来の実情に鑑みてなされたものであって、泡消火設備の泡放出試験に手間がかからず、点検に要する経費も低廉で、環境を汚染するおそれの少ない泡放出試験装置及び泡放出試験方法を提供することを解決すべき課題としている。
【課題を解決するための手段】
【０００６】
本発明の泡放出試験装置は、泡消火薬原液を貯留する原液貯留タンクに導水管から水を導入し、該泡消火薬原液を混合器に圧送する泡消火設備において、泡放出試験を行うための泡放出試験装置であって、
点検用薬剤を貯留する泡試験用タンクを備え、前記導水管から該泡試験用タンクに水を導入して該点検用薬剤を前記混合器に圧送するためのバイパス流路が設けられていることを特徴とする。
【０００７】
本発明の泡放出試験装置では、原液貯留タンクとは別に、点検用薬剤を貯留する泡試験用タンクを備えており、導水管から泡試験用タンクに水を導入して検用薬剤を混合器に圧送するためのバイパス流路が設けられている。このため、泡放出試験時において、導水管から泡試験用タンクに水を導入することにより、原液貯留タンク内の泡消火薬原液を用いることなく、泡放出試験を行うことができる。このため、泡放出試験を行うごとに原液貯留タンク内の泡消火薬原液を入れ替える必要がない。
また、泡試験用タンクは泡放出試験に必要なだけの容量とすればよいので、小型軽量化が可能である。このため、泡放出試験に伴う作業員の事前の段取り作業が軽減され、必要な員数も少なくて済む。
さらには、泡放出試験で放出されるのは、泡消火薬剤の消火性能を調べる試験以外の泡放出試験では、泡消火薬剤である必要はなく、点検用薬剤とすることができるため、環境に対する負荷の小さな点検用薬剤を適宜選択する等して、廃液処理や泡の処理に手間のかからないようにすることができる。
【０００８】
したがって、本発明の泡放出試験装置によれば、泡消火設備の泡放出試験に手間がかからず、点検に要する経費も低廉で、環境を汚染するおそれの少ない泡放出試験装置を提供することができる。
【０００９】
本発明の泡放出試験装置では、導水管から流入する水と点検用薬剤との混合を防止する隔膜が設けられていることが好ましい。こうであれば、導水管から泡試験用タンクへの水の導入が中断されたとしても、導水管から導入した水が点検用薬剤と混合することなく、確実に点検用薬剤のみを混合機に圧送することができる。このため、泡放出試験における混合比をさらに正確に測定することができる。このような隔膜としては、例えば、点検用薬剤を泡試験用タンク内に収容された収縮及び膨張が可能な容器に充填し、この容器を隔膜とすることができる。こうであれば、点検用薬剤を空気から遮断することができるため、点検用薬剤が変質し難くなり、耐用年数を長くすることができる。
【００１０】
また、点検用薬剤は泡消火薬原液と略同等の発泡性能を有し、生分解可能な成分からなることも好ましい。点検用薬剤が泡消火薬原液と略同等の発泡性能を有していれば、泡放出試験における発泡倍率を正確に行うことができる。また、点検用薬剤を生分解可能な成分（例えば天然系の界面活性剤など）を用いることによってとすることにより、環境に対する負荷が低減でき、泡放出試験で発生した廃液を容易に微生物処理することができる。
【００１１】
また、点検用薬剤は泡消火薬原液に含有されている糖分の濃度と略同等の糖分濃度とされていることが好ましい。泡消火薬原液には、粘度を上げて発泡しやすくし、水との混合比率を光学式の糖度測定装置で簡単に測定できるようにするため、糖分が加えられることがある。泡消火薬原液の糖分濃度と点検用薬剤の糖度を略同等としておけば、泡放出試験で放出された泡の糖度が、実際に火災時において放出される泡の糖度と同じになるため、泡消火試験で求められた混合比率の値の信頼性が更に向上する。
【００１２】
点検用薬剤には泡消火薬原液の粘度と略同等の粘度となるように増粘剤が添加されていることも好ましい。混合器から放出される泡の状態は、泡消火薬原液の粘度によっても大きく左右されるため、点検用薬剤に泡消火薬原液の粘度と略同等の粘度となるように増粘剤を加えておくことにより、さらに泡放出試験での測定結果が信頼の高いものとなる。
【００１３】
本発明の泡放出試験装置は、泡消火設備に着脱可能とされていることも好ましい。こうであれば、泡放出試験装置のために常設スペースを確保する必要がないため、省スペース化を図ることができる。
【００１４】
上述したように、本発明の泡放出試験装置によって、泡消火設備の泡消火試験を行うことができる。すなわち、本発明の泡放出試験方法は、泡消火薬原液を貯留する原液貯留タンクに導水管から水を導入し、該泡消火薬原液を混合器に圧送する泡消火設備の泡放出試験を行うための泡放出試験方法であって、
前記導水管から点検用薬剤を貯留する泡試験用タンクに水を導入して該点検用薬剤を前記混合器に圧送して泡放出状況を調べることを特徴とする。
【００１５】
本発明の泡放出試験方法によれば、上述のように、泡放出試験に手間がかからず、点検に要する経費も低廉で、環境を汚染するおそれも少ない。
【発明を実施するための最良の形態】
【００１６】
以下、本発明を具体化した実施形態について、図面を参照しつつ詳述する。
（実施形態１）
実施形態１の泡放出試験装置は、泡消火設備に備えられている。この泡消火設備は、図１に示すように、泡消火薬原液Ｅを貯留する原液貯留タンク１と、泡消火薬原液Ｅと水とを混合して混合液とする混合器２と、混合器２に水を供給するための導水管３と、混合器２から供給される混合液を泡として放出するためのノズル４とを備えている。泡消火薬原液Ｅには発泡成分の他、糖分が添加されている。導水管３は混合器２を介してノズル４に接続されている。混合器２にはオリフィス２ａが設けられており、混合器２の上流側には、導水管３から分岐する流入管５が接続されている。流入管５の他端は原液貯留タンク１内の上端に位置するように接続されており、流入管５の途中には開閉弁５ａが設けられている。開閉弁５ａの上流側の流入管５から枝管６が分岐しており、枝管６の他端には開閉弁６ａが設けられている。また、原液貯留タンク１内の下端に位置するように流出管７が接続されており、流出管７の他端は混合器２に接続されている。また、流出管７の途中には開閉弁７ａが設けられている。開閉弁７ａの上流側の流出管７から枝管８が分岐しており、枝管８の他端には開閉弁８ａが設けられている。
【００１７】
以上の泡消火設備には、泡放出試験装置が備えられており、その構成は次のとおりである。すなわち、上記開閉弁６ａには耐圧ホース９が脱着可能に接続されており、耐圧ホース９の他端は泡試験用タンク１０内の下端に位置するように接続されている。泡試験用タンク１０内には点検用薬剤Ｔが貯留されている。点検用薬剤Ｔは泡消火薬原液Ｅと略同等の発泡性能を有し、生分解可能な成分からなり、糖分及び増粘剤の添加により、糖分の濃度及び粘度も泡消火薬原液Ｅと略同等とされている。また、泡試験用タンク１０内の下端に位置するように耐圧ホース１１が接続されており、耐圧ホース１１の他端は開閉弁８ａに脱着可能に接続されている。
【００１８】
次に、この泡消火設備及び泡放出試験装置の作用効果について説明する。
＜泡消火設備の駆動＞
まず、泡消火設備の駆動について説明する。
作業者は、開閉弁５ａ及び開閉弁７ａが開状態、開閉弁６ａ及び開閉弁８ａが閉状態となっていることを確認してから、導水管３に水を供給するための図示しないポンプを駆動させる。これにより、導水管３から混合器２に水が供給されるとともに、水の一部が流出管５を経由して原液貯留タンク１内の上端部に導入される。ここで、泡消火薬原液Ｅの比重は水より大きいため、原液貯留タンク１内に供給された水は、泡消火薬原液Ｅの上に浮かんだ状態で貯留され、その貯留された水の体積分だけ泡消火薬原液Ｅが流出管７を経由して混合器２に圧送される。すなわち、混合器２には導水管３からの水と、原液貯留タンク１からの泡消火薬原液Ｅとが供給され、混合されて混合液となる。そしてさらに、混合液はノズル４から泡となって放出される。
【００１９】
＜泡放出試験装置の駆動＞
次に、泡放出試験を行う場合について説明する。
泡放出試験の作業者は、まず開閉弁５ａ及び開閉弁７ａを閉状態にし、開閉弁６ａ及び開閉弁８ａを開状態とする。そして、導水管３に水を供給するためのポンプを駆動させる。これにより、導水管３から混合器２に水が供給されるとともに、導水管３を流れる水の一部が枝管６を通り、さらに開閉弁６ａ及び耐圧ホース９を経由して泡試験用タンク１０内の上端部に導入され、水が点検用薬剤Ｔの上に浮かんだ状態で貯留され、その体積分だけの点検用薬剤Ｔが耐圧ホース１１を経由して混合器２に圧送される。こうして、混合器２には導水管３からの水と、泡試験用タンク１０からの点検用薬剤Ｔとが供給され、混合されて混合液となり、ノズル４から泡となって放出される。こうして放出された泡を採取し、重量と体積を測定して発泡倍率を求める。また、放出された泡が消失するのを待ってから、糖度計によって糖度を測定し、その値から点検用薬剤Ｔと水との混合比率を求める。
【００２０】
以上のように、この泡放出試験装置では、導水管３を流れる水の一部を泡試験用タンク１０に導入することによって、点検用薬剤Ｔが混合器２に圧送されるため、原液貯留タンク１内の泡消火薬原液Ｅを全く用いることなく、泡放出試験を行うことができる。このため、泡放出試験を行うごとに原液貯留タンク１内の泡消火薬原液Ｅを入れ替える必要がない。
また、泡試験用タンク１０の容量は、泡放出試験に必要なだけの容量とすればよいので、小型軽量化が可能である。このため、泡放出試験に伴う作業員の事前の段取り作業が軽減され、必要な員数も少なくて済む。このため、泡消火設備の泡放出試験に手間がかからず、点検に要する経費も低廉なものとなる。
【００２１】
なお、泡試験用タンク１０及び耐圧ホース９、１１は、泡放出試験を行うときにのみ準備し、泡消火設備に接続して使用するようにしてもよい。このようにすれば、泡放出試験装置のために常設スペースを確保する必要がないため、省スペース化を図ることができる。この場合において、泡試験用タンク１０及び耐圧ホース９、１１を車両に搭載しておき、泡放出試験時に泡消火設備まで搬送するようにすればさらに便利となる。
【００２２】
また、点検用薬剤Ｔは泡消火薬原液Ｅと略同等の発泡性能を有しており、増粘剤の添加によって泡消火薬原液と略同等の粘度とされているため、発泡倍率や泡消火薬剤の濃度等の測定を正確に測定することができるとともに、従来から使用していた測定機器をそのまま用いることができる。また、発泡成分も生分解可能な成分からなるため、環境に対する負荷が低減でき、泡放出試験で発生した廃液を容易に微生物処理することができる。また、糖分の濃度も泡消火薬原液Ｅと略同等とされているため、光学式の糖度測定装置で放出された泡の糖度を測定することにより、泡放出における混合比率を簡単かつ正確に測定することができる。
【００２３】
（実施形態２）
実施形態２の泡放出試験装置は、図２に示すように、泡試験用タンク２０内に収縮及び膨張が可能とされたポリエチレン製の収容容器２１が収容された二重構造となっており、収容容器２１内には点検用薬剤Ｔが充填されている。その他の構成は実施形態１の泡放出試験装置と同様であり、同一の構成については同一の符号を付して詳細な説明を省略する。
【００２４】
実施形態２の泡放出試験装置によって泡放出試験を行う方法は、実施形態１の場合と同様であり、作業者は、まず開閉弁５ａ及び開閉弁７ａを閉状態にし、開閉弁６ａ及び開閉弁８ａを開状態とする。そして、導水管３に水を供給するためのポンプを駆動させことにより、導水管３を流れる水の一部を泡試験用タンク１０内に導入する。こうして泡試験用タンク１０内に導入された水が収容容器２１を押圧し、点検用薬剤Ｔが耐圧ホース１１を経由して混合器２に圧送される。このため、導水管３から導入した水が点検用薬剤Ｔと混合することはなく、確実に点検用薬剤Ｔのみを混合機に圧送することができる。このため、泡放出試験における混合比をさらに正確に測定することができる。また、点検用薬剤ＴはＮＢＲ（アクリロニトリルゴム）製の収容容器に充填されているため、空気から遮断されており、点検用薬剤Ｔの変質もほとんどなく、耐用年数が長くなる。
他の作用効果については、実施形態１と同様である。
【００２５】
この発明は上記発明の実施の態様の説明に何ら限定されるものではない。特許請求の範囲を逸脱せず、当業者が容易に想到できる範囲で種々の変形態様もこの発明に含まれる。
【産業上の利用可能性】
【００２６】
本発明は、泡消火設備の泡放出試験に好適に利用することができる。
【図面の簡単な説明】
【００２７】
【図１】泡消火設備及び実施形態１の泡放出試験装置の模式図である。
【図２】泡消火設備及び実施形態２の泡放出試験装置の模式図である。
【図３】泡消火設備の模式図である。
【符号の説明】
【００２８】
Ｅ…泡消火薬原液
１…原液貯留タンク
３…導水管
２…混合器
Ｔ…点検用薬剤
６、６ａ、９、１１、８ａ、８…バイパス流路（６…枝管、６ａ…開閉弁、９、１１…耐圧ホース、８ａ…開閉弁、８…枝管）
２１…隔膜（収容容器）
【図１】
2008086681.tif 000003
【図２】
2008086681.tif 000004
【図３】
2008086681.tif 000005